(57)【特許請求の範囲】
【請求項１】
ビルに設置されたビル設備監視機器をＢＡＣｎｅｔ又はＬｏｎｔａｌｋのプロトコルを用いて管理するビル設備機器管理システムと、ＩＰネットワーク監視機器をＩＰプロトコルを用いて管理するＩＰネットワーク機器管理システムとを接続し、前記ビル設備監視機器とＩＰネットワーク監視機器とを連携させるビル設備機器管理システム連結システムであって、
前記ＩＰネットワーク機器管理システムが、前記ビル設備監視機器及びＩＰネットワーク監視機器のステータス及びＩＰプロトコル並びにＢＡＣｎｅｔ又はＬｏｎｔａｌｋプロトコルとのパラメータ情報を格納した管理データベースと、前記ＩＰネットワーク監視機器の状態であるステータスに変更があったときにＩＰプロトコル並びにＢＡＣｎｅｔ又はＬｏｎｔａｌｋプロトコルとの仕様の差を埋める為のパラメータ情報を採番付加して前記管理データベースに格納する監視機器状態管理部と、前記ビル設備機器管理システムからの指令を受け、前記管理データベースから取得したステータス及びパラメータ情報に基づいてＢＡＣｎｅｔプロトコルのパケットを生成してビル設備機器管理システムに送信する連携パケット生成送受信部とを備え、
前記監視機器状態管理部が、前記ＩＰネットワーク監視機器からＩＰプロトコルを用いて受信したステータスと前記管理データベースに格納したステータスとが変化したとき、該変化したステータスにＢＡＣｎｅｔ又はＬｏｎｔａｌｋのプロトコル特有のパラメータ情報を付加して格納する第１工程を実行し、
前記連携パケット生成送受信部が、
前記ビル設備機器管理システムから特定のＩＰネットワーク監視機器のステータスの問い合わせ命令を受けたとき、該問い合わせを受けた特定ＩＰネットワーク監視機器のステータス及びパラメータ情報を前記管理データベースから取得し、該取得したステータス及びパラメータ情報に基づいてＢＡＣｎｅｔ又はＬｏｎｔａｌｋのプロトコルのパケットを生成してビル設備機器管理システムに送信する第２工程と、
前記ビル設備機器管理システムから特定のＩＰネットワーク監視機器のステータスの操作指令を受けたとき、該操作指令を受けた特定ＩＰネットワーク監視機器のステータス及びパラメータ情報を前記管理データベースから取得し、該取得したステータス及びパラメータ情報に基づいてＢＡＣｎｅｔ又はＬｏｎｔａｌｋのプロトコルのパケットを生成してビル設備機器管理システムに送信する第３工程とを実行することを特徴とするビル設備機器管理システム連結システム。
【請求項２】
ビルに設置されたビル設備監視機器をＢＡＣｎｅｔ又はＬｏｎｔａｌｋのプロトコルを用いて管理するビル設備機器管理システムと、ＩＰネットワーク監視機器の管理をＩＰプロトコルを用いて管理するＩＰネットワーク機器管理システムとを接続し、前記ＩＰネットワーク機器管理システムが、前記ビル設備監視機器及びＩＰネットワーク監視機器のステータス及びＩＰプロトコル並びにＢＡＣｎｅｔ又はＬｏｎｔａｌｋプロトコルとのパラメータ情報を格納した管理データベースと、前記ＩＰネットワーク監視機器の状態であるステータスに変更があったときにＩＰプロトコル並びにＢＡＣｎｅｔ又はＬｏｎｔａｌｋプロトコルとの仕様の差を埋める為のパラメータ情報を採番付加して前記管理データベースに格納する監視機器状態管理部と、前記ビル設備機器管理システムからの指令を受け、前記管理データベースから取得したステータス及びパラメータ情報に基づいてＢＡＣＮＥＴプロトコルのパケットを生成してビル設備機器管理システムに送信する連携パケット生成送受信部とを備え、前記ビル設備監視機器とＩＰネットワーク監視機器とを連携させるコンピュータシステムのビル設備機器管理システム連結方法であって、
前記監視機器状態管理部に、前記ＩＰネットワーク監視機器からＩＰプロトコルを用いて受信したステータスと前記管理データベースに格納したステータスとが変化したとき、該変化したステータスにＢＡＣｎｅｔ又はＬｏｎｔａｌｋのプロトコル特有のパラメータ情報を付加して格納する第１工程を実行させ、
前記連携パケット生成送受信部に、
前記ビル設備機器管理システムから特定のＩＰネットワーク監視機器のステータスの問い合わせ命令を受けたとき、該問い合わせを受けた特定ＩＰネットワーク監視機器のステータス及びパラメータ情報を前記管理データベースから取得し、該取得したステータス及びパラメータ情報に基づいてＢＡＣｎｅｔ又はＬｏｎｔａｌｋのプロトコルのパケットを生成してビル設備機器管理システムに送信する第２工程と、
前記ビル設備機器管理システムから特定のＩＰネットワーク監視機器のステータスの操作指令を受けたとき、該操作指令を受けた特定ＩＰネットワーク監視機器のステータス及びパラメータ情報を前記管理データベースから取得し、該取得したステータス及びパラメータ情報に基づいてＢＡＣｎｅｔ又はＬｏｎｔａｌｋのプロトコルのパケットを生成してビル設備機器管理システムに送信する第３工程とを実行させることを特徴とするビル設備機器管理システム連結方法。
【請求項３】
ビルに設置されたビル設備監視機器をＢＡＣｎｅｔ又はＬｏｎｔａｌｋのプロトコルを用いて管理するビル設備機器管理システムと、ＩＰネットワーク監視機器の管理をＩＰプロトコルを用いて管理するＩＰネットワーク機器管理システムとを接続し、前記ＩＰネットワーク機器管理システムが、前記ビル設備監視機器及びＩＰネットワーク監視機器のステータス及びＩＰプロトコル並びにＢＡＣｎｅｔ又はＬｏｎｔａｌｋプロトコルとのパラメータ情報を格納した管理データベースと、前記ＩＰネットワーク監視機器の状態であるステータスに変更があったときにＩＰプロトコル並びにＢＡＣｎｅｔ又はＬｏｎｔａｌｋプロトコルとの仕様の差を埋める為のパラメータ情報を採番付加して前記管理データベースに格納する監視機器状態管理部と、前記ビル設備機器管理システムからの指令を受け、前記管理データベースから取得したステータス及びパラメータ情報に基づいてＢＡＣｎｅｔプロトコルのパケットを生成してビル設備機器管理システムに送信する連携パケット生成送受信部とを備え、前記ビル設備監視機器とＩＰネットワーク監視機器とを連携させるコンピュータシステムのビル設備機器管理システム連結プログラムであって、
前記監視機器状態管理部に、前記ＩＰネットワーク監視機器からＩＰプロトコルを用いて受信したステータスと前記管理データベースに格納したステータスとが変化したとき、該変化したステータスにＢＡＣｎｅｔ又はＬｏｎｔａｌｋのプロトコル特有のパラメータ情報を付加して格納する第１工程を実行させ、
前記連携パケット生成送受信部に、
前記ビル設備機器管理システムから特定のＩＰネットワーク監視機器のステータスの問い合わせ命令を受けたとき、該問い合わせを受けた特定ＩＰネットワーク監視機器のステータス及びパラメータ情報を前記管理データベースから取得し、該取得したステータス及びパラメータ情報に基づいてＢＡＣｎｅｔ又はＬｏｎｔａｌｋのプロトコルのパケットを生成してビル設備機器管理システムに送信する第２工程と、
前記ビル設備機器管理システムから特定のＩＰネットワーク監視機器のステータスの操作指令を受けたとき、該操作指令を受けた特定ＩＰネットワーク監視機器のステータス及びパラメータ情報を前記管理データベースから取得し、該取得したステータス及びパラメータ情報に基づいてＢＡＣｎｅｔ又はＬｏｎｔａｌｋのプロトコルのパケットを生成してビル設備機器管理システムに送信する第３工程とを実行させることを特徴とするビル設備機器管理システム連結プログラム。
【発明の詳細な説明】
【技術分野】
【０００１】
本発明は、複数のビル設備監視機器を管理するビル設備機器管理システムとルータやパーソナルコンピュータ等のＩＰネットワーク監視機器を管理するＩＰネットワーク機器管理システムとを連結するビル設備機器管理システム連結システム、ビル設備機器管理システム連結方法及びビル設備機器管理システム連結プログラムに係り、特にビル設備機器管理システムに接続されたビル設備監視機器とＩＰネットワーク機器管理システムに接続されたＩＰネットワーク監視機器の動作を連携することができるビル設備機器管理システム連結システム、ビル設備機器管理システム連結方法及びビル設備機器管理システム連結プログラムに関する。
【背景技術】
【０００２】
一般に企業等のビル設備は、複数の空調機・照明・扉開閉機器等のビル設備監視機器をネットワークを介して一括的に制御するビル設備機器管理システムが設置され、各ビル設備監視機器及びビル設備機器管理システムをＢＡＣｎｅｔ（Ｂｕｉｌｄｉｎｇ  Ａｕｔｏｍａｔｉｏｎ  ａｎｄ  Ｃｏｎｔｒｏｌ  Ｎｅｔｗｏｒｋｉｎｇ  ｐｒｏｔｏｃｏｌ：インテリジェントビル用ネットワークのための通信プロトコル規格）やＬｏｎｔａｌｋ（Ｌｏｃａｌ  Ｏｐｅｒａｔｉｏｎｇ  Ｎｅｔｗｏｒｋ：ニューロンチップを搭載した照明器具、スイッチ、温度センサーなどの機器を接続して動作させるための通信プロトコル規格）等の通信プロトコルを用いて通信が汎用的なイーサネット（登録商標）網経由にて接続している。他方、企業等のビル設備においては、コンピュータ技術の発展に伴って多数のパーソナルコンピュータやＩＰ監視カメラをＴＣＰ／ＩＰプロトコルによるＬＡＮ等のＩＰネットワークを介してサーバに接続し、コンピュータネットワークを構成しているが、前述のビル設備機器管理システム側の通信規格であるＢＡＣｎｅｔ及びＬｏｎｔａｌｋと、ＩＰネットワーク機器管理システム側の通信規格であるＴＣＰ／ＩＰプロトコルとの仕様が相違するものであった。
【０００３】
なお、異なるプロトコルのネットワーク接続を行う技術が記載された文献としては、下記の特許文献１が上げられ、この特許文献１には、ネットワークに接続された送信元の装置から受信したＳＮＭＰプロトコルの信号をどの非ＳＮＭＰプロトコル変換にするかを識別する手段と、識別手段により変換テーブルを準備し、変換テーブルを参照して別のネットワークに接続された送信先の装置が用いている非ＳＮＭＰプロトコルに変換した後、送信先の装置に送信する手段と、ネットワークに接続された送信元の装置から受信した非ＳＮＭＰプロトコルの信号をどの種類の非ＳＮＭＰプロトコルかを識別する手段と、識別手段により変換テーブルとを備え、変換テーブルを参照してネットワークに接続された送信先の装置が用いているＳＮＭＰプロトコルに変換した後、送信先の装置に送信する手段とを設けることによって、ＳＮＭＰプロトコルと非ＳＮＭＰプロトコル間のアクセスを可能とし、１つの監視制御装置でネットワ−ク内の全装置の監視と制御を可能にする技術が記載されている。
【先行技術文献】
【特許文献】
【０００４】
【特許文献１】特許第３３６６２２８号公報
【発明の概要】
【発明が解決しようとする課題】
【０００５】
前述の特許文献１記載技術は、異なるプロトコルのネットワークを接続するためにＳＮＭＰプロトコルと非ＳＮＭＰプロトコルとを変換テーブルを参照して別のネットワークに接続された送信先の装置が用いている非ＳＮＭＰプロトコルに変換することが記載されているものの、ビル設備機器管理システムとＩＰネットワーク機器管理システムでは個々の複数の機器を制御しているものの、両者は連携しておらず、ビル設備利用者に高度なビル環境を提供することが困難であるという課題があった。
【０００６】
これを具体的に説明すると、防犯上の機器として使用されるＩＰ監視カメラは警備室等に設置されたビル設備機器管理システムの端末装置からしか画像監視や操作を行うことができないため、企業の総務部等の他の部署に設置されたコンピュータ画面を用いてＩＰ監視カメラのズーム制御やパン制御を行うこと等の制御を行うことができず、例えば防災機器である煙検知器によって煙を検知した場合であっても、ビル設備機器管理システムからはＩＰ監視カメラを操作して火災等の確認を行うことができないという不具合があり、ビル設備利用者に多種多様に設置されたビル設備監視機器を活用した高度なビル環境を提供することが困難であるという課題があった。
【０００７】
本発明の目的は、前述の従来技術による課題を解決しようとするものであり、ビル設備機器管理システムが管理するビル設備監視機器とＩＰネットワーク管理システムが管理するＩＰネットワーク機器の動作を連携させることができるビル設備機器管理システム連結システム、ビル設備機器管理システム連結方法及びビル設備機器管理システム連結プログラムを提供することである。
【課題を解決するための手段】
【０００８】
前記目的を達成するため本発明は、ビルに設置されたビル設備監視機器をＢＡＣｎｅｔ又はＬｏｎｔａｌｋのプロトコルを用いて管理するビル設備機器管理システムと、ＩＰネットワーク監視機器をＩＰプロトコルを用いて管理するＩＰネットワーク機器管理システムとを接続し、前記ビル設備監視機器とＩＰネットワーク監視機器とを連携させるビル設備機器管理システム連結システムであって、
前記ＩＰネットワーク機器管理システムが、前記ビル設備監視機器及びＩＰネットワーク監視機器のステータス及びＩＰプロトコル並びにＢＡＣｎｅｔ又はＬｏｎｔａｌｋプロトコルとのパラメータ情報を格納した管理データベースと、前記ＩＰネットワーク監視機器の状態であるステータスに変更があったときにＩＰプロトコル並びにＢＡＣｎｅｔ又はＬｏｎｔａｌｋプロトコルとの仕様の差を埋める為のパラメータ情報を採番付加して前記管理データベースに格納する監視機器状態管理部と、前記ビル設備機器管理システムからの指令を受け、前記管理データベースから取得したステータス及びパラメータ情報に基づいてＢＡＣｎｅｔプロトコルのパケットを生成してビル設備機器管理システムに送信する連携パケット生成送受信部とを備え、
前記監視機器状態管理部が、前記ＩＰネットワーク監視機器からＩＰプロトコルを用いて受信したステータスと前記管理データベースに格納したステータスとが変化したとき、該変化したステータスにＢＡＣｎｅｔ又はＬｏｎｔａｌｋのプロトコル特有のパラメータ情報を付加して格納する第１工程を実行し、
前記連携パケット生成送受信部が、
前記ビル設備機器管理システムから特定のＩＰネットワーク監視機器のステータスの問い合わせ命令を受けたとき、該問い合わせを受けた特定ＩＰネットワーク監視機器のステータス及びパラメータ情報を前記管理データベースから取得し、該取得したステータス及びパラメータ情報に基づいてＢＡＣｎｅｔ又はＬｏｎｔａｌｋのプロトコルのパケットを生成してビル設備機器管理システムに送信する第２工程と、
前記ビル設備機器管理システムから特定のＩＰネットワーク監視機器のステータスの操作指令を受けたとき、該操作指令を受けた特定ＩＰネットワーク監視機器のステータス及びパラメータ情報を前記管理データベースから取得し、該取得したステータス及びパラメータ情報に基づいてＢＡＣｎｅｔ又はＬｏｎｔａｌｋのプロトコルのパケットを生成してビル設備機器管理システムに送信する第３工程とを実行することを第１の特徴とする。
【０００９】
また、本発明は、ビルに設置されたビル設備監視機器をＢＡＣｎｅｔ又はＬｏｎｔａｌｋのプロトコルを用いて管理するビル設備機器管理システムと、ＩＰネットワーク監視機器の管理をＩＰプロトコルを用いて管理するＩＰネットワーク機器管理システムとを接続し、前記ＩＰネットワーク機器管理システムが、前記ビル設備監視機器及びＩＰネットワーク監視機器のステータス及びＩＰプロトコル並びにＢＡＣｎｅｔ又はＬｏｎｔａｌｋプロトコルとのパラメータ情報を格納した管理データベースと、前記ＩＰネットワーク監視機器の状態であるステータスに変更があったときにＩＰプロトコル並びにＢＡＣｎｅｔ又はＬｏｎｔａｌｋプロトコルとの仕様の差を埋める為のパラメータ情報を採番付加して前記管理データベースに格納する監視機器状態管理部と、前記ビル設備機器管理システムからの指令を受け、前記管理データベースから取得したステータス及びパラメータ情報に基づいてＢＡＣｎｅｔプロトコルのパケットを生成してビル設備機器管理システムに送信する連携パケット生成送受信部とを備え、前記ビル設備監視機器とＩＰネットワーク監視機器とを連携させるコンピュータシステムのビル設備機器管理システム連結方法であって、
前記監視機器状態管理部に、前記ＩＰネットワーク監視機器からＩＰプロトコルを用いて受信したステータスと前記管理データベースに格納したステータスとが変化したとき、該変化したステータスにＢＡＣｎｅｔ又はＬｏｎｔａｌｋのプロトコル特有のパラメータ情報を付加して格納する第１工程を実行させ、
前記連携パケット生成送受信部に、
前記ビル設備機器管理システムから特定のＩＰネットワーク監視機器のステータスの問い合わせ命令を受けたとき、該問い合わせを受けた特定ＩＰネットワーク監視機器のステータス及びパラメータ情報を前記管理データベースから取得し、該取得したステータス及びパラメータ情報に基づいてＢＡＣｎｅｔ又はＬｏｎｔａｌｋのプロトコルのパケットを生成してビル設備機器管理システムに送信する第２工程と、
前記ビル設備機器管理システムから特定のＩＰネットワーク監視機器のステータスの操作指令を受けたとき、該操作指令を受けた特定ＩＰネットワーク監視機器のステータス及びパラメータ情報を前記管理データベースから取得し、該取得したステータス及びパラメータ情報に基づいてＢＡＣｎｅｔ又はＬｏｎｔａｌｋのプロトコルのパケットを生成してビル設備機器管理システムに送信する第３工程とを実行させることを第２の特徴とする。
【００１０】
更に本発明は、ビルに設置されたビル設備監視機器をＢＡＣｎｅｔ又はＬｏｎｔａｌｋのプロトコルを用いて管理するビル設備機器管理システムと、ＩＰネットワーク監視機器の管理をＩＰプロトコルを用いて管理するＩＰネットワーク機器管理システムとを接続し、前記ＩＰネットワーク機器管理システムが、前記ビル設備監視機器及びＩＰネットワーク監視機器のステータス及びＩＰプロトコル並びにＢＡＣｎｅｔ又はＬｏｎｔａｌｋプロトコルとのパラメータ情報を格納した管理データベースと、前記ＩＰネットワーク監視機器の状態であるステータスに変更があったときにＩＰプロトコル並びにＢＡＣｎｅｔ又はＬｏｎｔａｌｋプロトコルとの仕様の差を埋める為のパラメータ情報を採番付加して前記管理データベースに格納する監視機器状態管理部と、前記ビル設備機器管理システムからの指令を受け、前記管理データベースから取得したステータス及びパラメータ情報に基づいてＢＡＣｎｅｔプロトコルのパケットを生成してビル設備機器管理システムに送信する連携パケット生成送受信部とを備え、前記ビル設備監視機器とＩＰネットワーク監視機器とを連携させるコンピュータシステムのビル設備機器管理システム連結プログラムであって、
前記監視機器状態管理部に、前記ＩＰネットワーク監視機器からＩＰプロトコルを用いて受信したステータスと前記管理データベースに格納したステータスとが変化したとき、該変化したステータスにＢＡＣｎｅｔ又はＬｏｎｔａｌｋのプロトコル特有のパラメータ情報を付加して格納する第１工程を実行させ、
前記連携パケット生成送受信部に、
前記ビル設備機器管理システムから特定のＩＰネットワーク監視機器のステータスの問い合わせ命令を受けたとき、該問い合わせを受けた特定ＩＰネットワーク監視機器のステータス及びパラメータ情報を前記管理データベースから取得し、該取得したステータス及びパラメータ情報に基づいてＢＡＣｎｅｔ又はＬｏｎｔａｌｋのプロトコルのパケットを生成してビル設備機器管理システムに送信する第２工程と、
前記ビル設備機器管理システムから特定のＩＰネットワーク監視機器のステータスの操作指令を受けたとき、該操作指令を受けた特定ＩＰネットワーク監視機器のステータス及びパラメータ情報を前記管理データベースから取得し、該取得したステータス及びパラメータ情報に基づいてＢＡＣｎｅｔ又はＬｏｎｔａｌｋのプロトコルのパケットを生成してビル設備機器管理システムに送信する第３工程とを実行させることを第３の特徴とする。
【発明の効果】
【００１１】
本発明によるビル設備機器管理システム連結システム、ビル設備機器管理システム連結方法及びビル設備機器管理システム連結プログラムは、監視機器状態管理部が、ＩＰネットワーク監視機器からＩＰプロトコルを用いて受信したステータスと管理データベースに格納したステータスとが変化したとき、該変化したステータスにＢＡＣｎｅｔ又はＬｏｎｔａｌｋのプロトコル特有のパラメータ情報を付加して格納する第１工程を実行させ、連携パケット生成送受信部が、問い合わせを受けた特定ＩＰネットワーク監視機器のステータス及びパラメータ情報を管理データベースから取得し、該取得したステータス及びパラメータ情報に基づいてＢＡＣｎｅｔ又はＬｏｎｔａｌｋのプロトコルのパケットを生成してビル設備機器管理システムに送信する第２工程と、前記ビル設備機器管理システムから特定のＩＰネットワーク監視機器のステータスの操作指令を受けたとき、該操作指令を受けた特定ＩＰネットワーク監視機器のステータス及びパラメータ情報を前記管理データベースから取得し、該取得したステータス及びパラメータ情報に基づいてＢＡＣｎｅｔ又はＬｏｎｔａｌｋのプロトコルのパケットを生成してビル設備機器管理システムに送信する第３工程とを実行させることによって、プロトコルが異なるビル設備監視機器とＩＰネットワーク監視機器との動作を連携させることができる。
【図面の簡単な説明】
【００１２】
【図１】本発明の実施形態によるビル設備機器管理システム及びＩＰネットワーク機器管理システムを接続したコンピュータシステムを示す図。
【図２】本実施形態によるＩＰネットワーク機器管理システムの概略構成を示す図。
【図３】本実施形態によるビル設備機器管理システムが監視するパケットデータを説明するための図。
【図４】本実施形態によるＩＰネットワーク機器管理システムが監視するパケットデータを説明するための図。
【図５】本実施形態による監視機器状態管理部の処理フローを示す図。
【図６】本実施形態による連携パケット精製送受信部の処理フローを示す図。
【図７】本実施形態による管理データベースを説明するための図。
【発明を実施するための形態】
【００１３】
以下、本発明によるビル設備機器管理システム連結システム、ビル設備機器管理システム連結方法及びビル設備機器管理システム連結プログラムの一実施形態を図面を参照して詳細に説明する。
［構成］
本発明の対象となる複数のビル設備監視機器を制御する設備機器管理システム及びパーソナルコンピュータ等のＩＰネットワーク機器管理システムを接続したコンピュータシステムは、図１に示す如く、空調機・照明・防災機器である煙検知器を含むビル設備監視機器１０１及びシステム管理者の管理コンピュータ１０４とＢＡＣｎｅｔ等の通信回線１０２を介して接続されたコンピュータであるビル設備機器管理システム１０３と、多数のパーソナルコンピュータ・ルータ・ＩＰ監視カメラ等のＩＰネットワーク監視機器１０６とＩＰネットワークの通信回線により接続されたコンピュータであるＩＰネットワーク機器管理システム１０８と、該ＩＰネットワーク機器管理システム１０８とビル設備機器管理システム１０３とを接続する通信回線１０５とから構成され、前記ＩＰネットワーク機器管理システム１０８は、ＩＰネットワークの通信プロトコルに含まれる項目（パラメータ情報）及びＢＡＣｎｅｔ又はＬｏｎｔａｌｋの通信プロトコルに含まれる項目（パラメータ情報）とを格納した管理データベース（ＤＢ）４０１と、前記ＩＰネットワーク監視機器１０６のステータス（状態）をＳＮＭＰプロトコルを受けて管理し、該ステータスに変更があったときにＢＡＣｎｅｔプロトコルとの仕様の差を埋める為のパラメータ情報を採番付加して管理データベース４０１に格納する監視機器状態管理部３０１と、前記ビル設備機器管理システム１０３からの命令信号を受け、管理データベース４０１から取得した該当機器情報に基づいてＢＡＣｎｅｔプロトコルのパケットを生成して送信する連携パケット生成送受信部３０２とから構成される。
【００１４】
前記ＩＰネットワーク機器管理システム１０８は、図２に示す如く、監視機器状態管理部３０１が、ＩＰネットワーク監視機器１０６のステータスを常時受信する機能ａと、該機能ａにより受信したステータスが変更されたか否かを判定する機能ｂと、該機能ｂによって変更があったと判定したとき、前記管理データベース４０１に格納した該当機器のステータスの更新を行う機能ｃと、前記連携パケット生成送受信部３０２が、ビル設備機器管理システム１０３からの命令信号を常時受信する機能ｄと、該機能ｄによって命令を受信したと判定したとき、ＩＰネットワーク監視機器のステータスを管理データベース４０１から読み出す機能ｅと、該機能ｅによって読み出したＩＰネットワーク監視機器のステータスを命令信号に対応して生成しビル設備機器管理システム１０３に送信する機能ｆと、ＩＰネットワーク監視機器１０６へ操作信号を送信する機能ｇとを実行するように構成されている。
【００１５】
前記ビル設備機器管理システム１０３が監視するビル設備監視機器の監視パケットデータは、例えば、図３（ａ）に示すように、ビル設備監視機器１０１をビル設備機器管理システム１０３及びＩＰネットワーク機器管理システム１０８によって識別するために両システム共通にユニークに付与されたＩＤ（識別子）であるインスタンスＮｏと、ビル設備監視機器１０１の動作状態を表すための数値（フラグ０：停止、１：起動）を表すステータスと、ビル設備監視機器１０１の保持するパラメータの種類を表すパラメータと、両システムの管理上で定義される対象物の種類を表すオブジェクトタイプと、空調機の上下の設定温度値を示す設定温度その他の各項目とから１レコードを構成し、具体的には図３（ｂ）に示すように、インスタンスＮｏ「１１」の照明のステータスが「１」（起動）、パラメータが「ｐｏｗｅｒ」、オブジェクトタイプが「１」（「照明」に付与されたタイプ）、設定温度が「空欄」であり、インスタンスＮｏ「１２」の照明のステータスが「０」（停止）、パラメータが「ｐｏｗｅｒ」、オブジェクトタイプが「１」（「照明」）、設定温度が「空欄」であり、インスタンスＮｏ「２１」の防災機器のステータスが「１」（起動）、パラメータが「ｐｏｗｅｒ」、オブジェクトタイプが「２」（「防災機器」に付与されたタイプ）、設定温度が「空欄」であり、インスタンスＮｏ「３１」の空調のステータスが「１」（起動）、パラメータが「ｐｏｗｅｒ」、オブジェクトタイプが「３」（「空調機」に付与されたタイプ）、設定温度が「２８」度の如く設定され、監視パケット信号は、例えば図３（ｃ）の如く「３３，１，ｐｏｗｅｒ，３，２８」として表される。
【００１６】
前記ＩＰネットワーク機器管理システム１０８が監視するＩＰネットワーク監視機器１０６のパケットデータは、例えば、図４（ａ）に示すように、ビル設備機器管理システム１０３で管理しているビル設備監視機器１０１のホスト名と、ビル設備監視機器１０１の動作状態を表すための数値（フラグ）であるステータスと、ＩＰ監視カメラのズームを制御するための数値を表すカメラズームとの各項目とから１レコードを構成し、具体的には図４（ｂ）に示す如く、ホスト名「ｎａｍｅ１．ｃｏ．ｊｐ」のパーソナルコンピュータのステータスが「０，１」（停止又は起動）、カメラズームが「空欄」、ホスト名「ｎａｍｅ６．ｃｏ．ｊｐ」のルータのステータスが「０，１」（停止又は起動）、カメラズームが「空欄」、ホスト名「ｃａｍｅｒａ１．ｃｏ．ｊｐ」のＩＰ監視カメラのステータスが「１」（は起動）、カメラズームが「１」（ズームイン）の如く設定され、監視パケット信号は、例えば図４（ｃ）の如く「ｃａｍｅｒａ１．ｃｏ．ｊｐ，１，１」として表される。
【００１７】
前記管理データベース４０１は、図７（ａ）に示す如く、ビル設備機器管理システム１０３で管理しているビル設備監視機器１０１のホスト名と、ビル設備機器管理システム１０３が管理しているビル設備監視機器１０１の状態を表すための数値（フラグ０：停止、１：起動）を示すステータスと、ビル設備監視機器１０１の保持するパラメータの種類を表すパラメータと、両システムの管理上で定義される対象物の種類を表すオブジェクトタイプと、ビル設備監視機器１０１をビル設備機器管理システム１０３及びＩＰネットワーク機器管理システム１０８によって識別するために両システム共通にユニークに付与されたＩＤ（識別子）であるインスタンスＮｏと、ＩＰ監視カメラのズームを制御するための数値を表すカメラズームと、空調機に設定する温度を示す温度設定の各項目（パラメータ情報）とから１レコードを構成し、具体的には図７（ｂ）に示す如く、ビル設備監視機器側として、ホスト名がビル設備監視機器でないため「空欄」の照明のステータスが「１」（起動）、パラメータが「ｐｏｗｅｒ」、オブジェクトタイプが「１」、インスタンスＮｏが「１１」、カメラズーム及び温度設定がＩＰネットワーク監視機器のため「空欄」であり、ホスト名がビル設備監視機器でないため「空欄」の防災機器のステータスが「０」（停止）、パラメータが「ｐｏｗｅｒ」、オブジェクトタイプが「１」、インスタンスＮｏが「１２」、カメラズーム及び温度設定がＩＰネットワーク監視機器のため「空欄」であり、ホスト名がビル設備監視機器でないため「空欄」の空調のステータスが「１」（起動）、パラメータが「ｐｏｗｅｒ」、オブジェクトタイプが「１」、インスタンスＮｏが「１３」、カメラズーム及び温度設定がＩＰネットワーク監視機器のため「空欄」の如く格納され、ＩＰネットワーク監視機器側として、ホスト名「ｎａｍｅ１．ｃｏ．ｊｐ」のパーソナルコンピュータのステータスが「１」（起動）、ビル設備でないためパラメータが「空欄」、オブジェクトタイプが「４」（ＩＰネットワーク側に一律に付与されたタイプ）、インスタンスＮｏが「４０」、カメラズーム及び温度設定が管理対象外のため「空欄」であり、ホスト名「ｃａｍｅｒａ１．ｃｏ．ｊｐ」のＩＰ監視カメラのステータスが「１」（起動）、ビル設備でないためパラメータが「空欄」、オブジェクトタイプが「４」、インスタンスＮｏが「４６」、カメラズームが「１」（ズームアウト）、温度設定が管理対象外のため「空欄」の如く格納している。
【００１８】
即ち、本実施形態による管理データベース４０１は、ＩＰネットワークのプロトコルに含まれるホスト名と、ビル設備監視機器のプロトコルに含まれる監視機器の状態を表すステータスと、ビル設備監視機器のプロトコルに含まれる監視機器のパラメータの種類を表すパラメータと、ビル設備監視機器とＩＰネットワーク監視機器を識別するためにビル設備監視機器のプロトコルに含まれる監視機器のオブジェクトタイプと、個々のビル設備監視機器及びＩＰネットワーク監視機器とを識別するために個別に識別子として付与されたインスタンスＮｏと、ＩＰネットワーク監視機器を個別に制御するためのカメラズーム及び温度設定の各項目（パラメータ情報）とから１レコードを構成して格納するものであり、ビル設備機器管理システムとＩＰネットワーク機器管理システムのパケット信号に使用する各パケット項目を登録するように構成されている。
【００１９】
なお、前記実施形態としては、ビル設備機器管理システムの監視対象機器として照明・空調機・防災機器（火災検知器、煙検知器）を挙げ、ＩＰネットワーク機器管理システムの管理対象機器としてパーソナルコンピュータ・ルータ等を挙げたが、本発明の対象とする機器はこれらに限られるものではなく、例えば、ビルの施錠機器・窓やドアの開閉（監視）機器その他の機器を対象としても良く、この対象機器に応じて管理データベース４０１に格納する論理名も追加することや、ＩＰ監視カメラの他の操作としてパンを加えることもできる。
【００２０】
［動作］
さて、前述のように構成された本実施形態によるビル設備機器管理システム連結システム、ビル設備機器管理システム連結方法及びビル設備機器管理システム連結プログラムを実現するコンピュータシステムは、図５に示す如く監視機器状態管理部３０１が、ＩＰネットワーク監視機器１０６からのステータス変更信号を含むパケットを受信するための常駐サービスを起動するステップＡ０１と、ＩＰネットワーク監視機器１０６からのステータス変更信号を含むパケットが発信されたとき、前記ステップＡ０１の常駐サービスによってステータス変更信号を含むパケットを受信したとき、該受信したＩＰネットワーク監視機器１０６のステータス変更信号をＩＰネットワーク機器管理システム１０８のビル設備機器管理システム連結プログラム２０１にて受信するステップＡ０２と、該ステップＡ０２によって受信した対象のＩＰネットワーク監視機器の情報をホスト名に基づいて抽出し、管理データベース４０１から読み出すステップＡ０３と、該ステップＡ０３によって読み出した機器のステータス変化が有るか否かを受信したステータスと読み出したステータスとを比較して判定し、変化がないと判定したときに前記ステップＡ０２に戻るステップＡ０４と、該ステップＡ０４において変化があると判定したとき、前記ステータス変更があったＩＰネットワーク監視機器の最新ステータスを管理データベース４０１に上書き（更新）するステップＡ０５と、前記ステータス変更があったＩＰネットワーク監視機器のパケットに含まれていないビル設備機器管理システム用の前記パラメータ及びインスタンスＮｏとを新たに採番し、管理データベース４０１に格納した前記ステータス変更があったＩＰネットワーク監視機器のレコードに、受信したパケットに含まれていない項目であるパラメータとインスタンスＮｏに対して新たに採番し管理データベース４０１に格納して処理を終了するステップＡ０６とを実行することによって、ＩＰネットワーク監視機器の状態に変更があった場合、このステータスの変更を新たに採番したパラメータとインスタンスＮｏと共に格納するように動作する。
【００２１】
このため本実施形態による監視機器状態管理部３０１は、例えば特定のパーソナルコンピュータの電源がオフされて停止状態になったとき、この特定のパーソナルコンピュータの電源がオフの停止状態（ステータス）及び採番したパラメータとインスタンスＮｏを、管理データベース４０１に格納することができ、他のＩＰネットワーク監視機器についても同様である。
【００２２】
次に本実施形態によるビル設備機器管理システム連結システムを含むコンピュータシステムは、連携パケット生成送受信部３０２が、図６に示す如く、ビル設備機器管理システム１０３からの機器操作の問い合わせ命令信号又は操作指令信号を含むパケットを受信するための常駐サービスを起動するステップＢ０１と、ビル設備監視機器１０１からの問い合わせ命令信号を含むパケットが発信されたとき、前記ステップＢ０１の常駐サービスによって問い合わせ命令信号を含むパケットをＩＰネットワーク監視機器管理システム１０８によって受信するステップＢ０２と、該受信したパケットが問い合わせ命令信号を含むか否かを判定するステップＢ０３と、該ステップＢ０３においてＩＰネットワーク監視機器１０６へのステータス問い合わせ命令信号と判定したとき、対象のＩＰネットワーク監視機器１０６のステータスを管理データベース４０１から読み出すステップＢ０４と、該ステップＢ０４によって読み出したステータスに基づいてビル設備機器管理システム１０３用のパケットを生成するステップＢ０５と、該ステップＢ０５によって生成したビル設備機器管理システム１０３用のパケットをビル設備管理システムへ送信するステップＢ０６とを実行することによって、ビル設備機器管理システムからのＩＰネットワーク監視機器の問い合わせがあったとき、当該機器のステータスを管理データベース４０１から読み出すと共に、該読み出したステータスをパラメータ及びオブジェクトタイプ（機器によってはカメラズーム・設定温度の項目も含む）と共にビル設備機器管理システム１０３用の問い合わせパケットを生成して送信するように動作する。
【００２３】
次いで、本実施形態による連携パケット生成送受信部３０２は、前記ステップＢ０３においてＩＰネットワーク監視機器１０６へのステータス問い合わせ信号でないと判定したとき、受信したパケットにＩＰネットワーク監視機器１０６への操作指令信号が含まれるか否かを判定し、操作指令信号が含まれないと判定したときに処理を終了するステップＢ０７と、該ステップＢ０７において操作指令信号が含まれると判定したとき、当該機器のステータスを管理データベース４０１から読み出すステップＢ０８と、該ステップＢ０８によって読み出した対象のＩＰネットワーク監視機器のステータスをパラメータ及びオブジェクトタイプ（機器によってはカメラズーム・設定温度の項目も含む）と共にビル設備機器管理システム１０３用の命令パケットを生成するステップＢ０９と、該ステップＢ０９によって生成した命令パケットをＩＰネットワーク機器管理システム１０８に送信するステップＢ１０とを実行することによって、ＩＰネットワーク監視機器に対する操作指示を行うことができる。
【００２４】
本実施形態によるビル設備機器管理システム連結システムを含むコンピュータシステムは、監視機器状態管理部３０１が、図５に示したようにＩＰネットワーク監視機器１０６の状態を表すステータスに変化があったとき、該ＩＰネットワーク監視機器１０６によるステータスの変化をビル設備機器管理システム１０３用のパラメータ及びインスタンスＮｏを追加して管理データベース４０１に格納すると共に、連携パケット生成送受信部３０２が、図６に示したようにビル設備機器管理システム１０３からのＩＰネットワーク監視機器問い合わせ命令又はＩＰネットワーク監視機器操作指令を受信したとき、該問い合わせ命令及び操作指令をビル設備機器管理システム１０３用のパラメータ及びインスタンスＮｏを追加してパケットを生成して管理データベース４０１に登録することによって、ビル設備機器管理システム及びＩＰネットワーク機器管理システムを連携することができる。
【００２５】
この連携を具体的に説明すると、例えば、ＩＰネットワーク監視機器であるパーソナルコンピュータの電源が落とされた場合、この特定のパーソナルコンピュータの電源が落とされたこと（状態：ステータス）を、監視機器状態管理部３０１が図５にて説明した処理を実行して管理データベース４０１に登録し、ビル設備機器管理システム１０３がシステム管理者の管理コンピュータ１０４の指示によって発したとき、連携パケット生成送受信部３０２が、図６上段の処理によってパーソナルコンピュータの電源が落とされたこと（状態：ステータス）をビル設備機器管理システム１０３に送信し、これを受信したビル設備機器管理システム１０３に接続した管理コンピュータ１０４の管理者が、ビル設備機器管理システム１０３を用いて該当のパーソナルコンピュータが設置されている部屋のビル設備監視機器である空調機や照明の電源をオフすることや、ビル設備監視機器である防災用の煙検知器が煙りを検知したとき、ビル設備機器管理システム１０３が図６に示した処理によって連帯パケット生成送受信部３０２にＩＰネットワーク監視機器であるＩＰ監視カメラのズームインやパン等の操作を指示することができる。
【００２６】
他の例として本実施形態によるビル設備機器管理システム連結システムを含むコンピュータシステムは、ＩＰネットワーク監視機器であるルータに障害が発生して再起動が必要な場合、ビル設備機器管理システム１０３が図６に示した処理によって連携パケット生成送受信部３０２にルータへ停止及び起動を行う操作を指示することができ、同ルータの温度が所定温度以上に上昇したことをＩＰネットワーク機器管理システム１０８が検知した場合、この所定温度以上であることを監視機器状態管理部３０１が図５にて説明した処理を実行して管理データベース４０１に温度以上であること登録し、連携パケット生成送受信部３０２が、図６上段の処理によってルータの温度異常をビル設備機器管理システム１０３に送信し、これを受信したビル設備機器管理システム１０３に接続した管理コンピュータ１０４の管理者が、ビル設備機器管理システム１０３を用いて該当のパーソナルコンピュータが設置されている部屋のビル設備機器である空調機の温度制御を行うことができる。
【符号の説明】
【００２７】
１０１  ビル設備監視機器、１０２  通信回線、
１０３  ビル設備機器管理システム、１０４  管理コンピュータ、
１０５  通信回線、１０６  ＩＰネットワーク監視機器、
１０８  ＩＰネットワーク機器管理システム、
２０１  ビル設備機器管理システム連結プログラム、
３０１  監視機器状態管理部、
３０２  連携パケット生成送受信部、４０１  管理データベース
【図１】
0005542772.tif 000002
【図２】
0005542772.tif 000003
【図３】
0005542772.tif 000004
【図４】
0005542772.tif 000005
【図５】
0005542772.tif 000006
【図６】
0005542772.tif 000007
【図７】
0005542772.tif 000008